(57)【要約】【課題】水中の広い範囲を容易に覗くことが可能な箱眼鏡を提供する。【解決手段】箱眼鏡１０は、プラスチック製あるいは金属製の四角形筒状体であって、長手方向両端面が長手方向中間を中心として対称形状で互いに対向して傾斜した傾斜面となって本体１１を有している。本体１１は、互いに対向する長尺な等脚台形状の一対の側板１２，１３と、両側板の平行な上辺間に取り付けられた長方形の平板１４と、下辺間に取り付けられた長方形で平板１４より長さの長い平板１５とにより一体で形成されている。本体は両端が開放された開口になっており、一端側開口１１ａにはアクリル等のプラスチック製の透明板１６が両側板及び両平板に液密状態に取り付けられて開口を封止しており、他端側傾斜面が開放された覗き口１８となっている。【選択図】    図１
2005043495.tif 000002
【特許請求の範囲】
【請求項１】
板材で形成された少なくとも内面が暗色になっている筒状体であって、長手方向両端面が長手方向中間を中心として対称形状で互いに対向して傾斜した傾斜面となっており、一端側傾斜面には透明板が液密状態に取り付けられて該傾斜面を封止しており、他端側傾斜面が開放された覗き口となっていることを特徴とする箱眼鏡。
【請求項２】
前記筒状体が直方体状であって、前記傾斜面が互いに対向する一対の板材間で傾斜したものであることを特徴とする前記請求項１に記載の箱眼鏡。
【請求項３】
前記透明板で封止された傾斜面の鋭角側端縁に、ミラーが該端縁を中心として回動可能に支持されると共に、該ミラーが重なり合う板材部分が透明板部となっていることを特徴とする前記請求項２に記載の箱眼鏡。
【請求項４】
板材で形成された少なくとも内面が暗色になっている直方体状の筒状体であって、長手方向一端面が互いに対向した一対の板材間で傾斜した傾斜面となっており、該傾斜面は板材で封止されていると共にその内側面にミラーが取り付けられており、他端側が開放された覗き口となっており、さらに該ミラーと対向する板材の一端側部分が透明板部となっていることを特徴とする箱眼鏡。
【発明の詳細な説明】
【０００１】
【発明の属する技術分野】
本発明は、魚釣り等に用いられる水中を覗くための箱眼鏡に関する。
【０００２】
【従来の技術】
従来の箱眼鏡は、板材で形成された内面が暗色になっている中空の直方体箱状であって、長手方向一端には透明板が液密状態に取り付けられて封止されており、他端が開放された覗き口となっている。そして、箱眼鏡を手で持って透明板側を水中に挿入し、水上の覗き口から覗くことにより、水中の様子を覗くものである。この箱眼鏡は、例えば海底を覗いてあわび、さざえ等の貝類や魚類等の居場所を見つけ、これを採取するためにしばしば用いられていた。
【０００３】
【発明が解決しようとする課題】
しかし、上記箱眼鏡の場合、視野が箱眼鏡の延長方向である底方向を中心とした狭い範囲に限られ、せいぜい箱眼鏡の周囲２〜３メートルの狭い範囲に限られるため、魚類等の居場所を見つける手段としては不十分であった。
本発明は、上記した問題を解決しようとするもので、水中の広い範囲を容易に覗くことが可能な箱眼鏡を提供することを目的とする。
【０００４】
【課題を解決するための手段】
上記目的を達成するために上記請求項１の発明の構成上の特徴は、板材で形成された少なくとも内面が暗色になっている筒状体であって、長手方向両端面が長手方向中間を中心として対称形状で互いに対向して傾斜した傾斜面となっており、一端側傾斜面には透明板が液密状態に取り付けられて傾斜面を封止しており、他端側傾斜面が開放された覗き口となっていることにある。
【０００５】
上記のように構成した請求項１の発明においては、箱眼鏡を手で持って、透明板側を水中に漬けて、透明板を水面に対して略垂直になるように保持すると共に、他端側の覗き口を水面に略平行になるように保持することにより、垂直にされた透明板を通して水中の水平方向の遠くの場所を容易に覗くことができる。これにより、従来の箱眼鏡に比べて水中のはるかに広い範囲を覗くことができる。また、この場合、覗き口が水面に平行になっており、水中からの突出部分がほとんどなく視野の妨げにならないため、水面上から箱眼鏡の中を容易に覗くことができる。また、筒状体の長手方向両端が傾斜しており、無駄な部分がないので、箱眼鏡が軽量化されて持ち運びにも便利になっている。
【０００６】
また、上記請求項２の発明の構成上の特徴は、前記請求項１に記載の箱眼鏡において、筒状体が直方体状であって、傾斜面が互いに対向する一対の板材間で傾斜したものであることにある。このように箱眼鏡が直方体状で傾斜面が互いに対向する一対の板材間で傾斜していることにより、箱眼鏡の取り扱いが容易であると共に、視界が広げられるので、水中の広い範囲の魚の動向を調べるのに便利である。
【０００７】
また、上記請求項３の発明の構成上の特徴は、前記請求項１又は２に記載の箱眼鏡において、透明板で封止された傾斜面の鋭角側端縁に、ミラーが端縁を中心として回動可能に支持されると共に、ミラーが重なり合う板材部分が透明板部となっていることにある。これにより、請求項３においては、箱眼鏡の長手方向を鉛直方向に向けて保持することにより、板材に重ね合わされていたミラーが回動して一端側傾斜面の透明板に重ね合わされて透明板を被うと共に、ミラーが重ね合わされていた板材の透明板部が露出する。この状態で箱眼鏡を手で持って透明板側から水中に挿入することにより、透明板部を通した水中側の延長部分の光景を、ミラーに反射して水上の覗き口から容易に覗くことができる。このように、箱眼鏡の水中への挿入方向を変えて、ミラーの位置を変えることにより、箱眼鏡を上記請求項１の使用態様と異なった使用態様に切り替えて使用することができる。なお、この場合は、ミラーを通しての映像が逆向きになる点には慣れる必要がある。
【０００８】
また、上記請求項４の発明の構成上の特徴は、板材で形成された少なくとも内面が暗色になっている直方体状の筒状体であって、長手方向一端面が互いに対向した一対の板材間で傾斜した傾斜面となっており、傾斜面は板材で封止されていると共にその内側面にミラーが取り付けられており、他端側が開放された覗き口となっており、さらにミラーと対向する板材の一端側部分が透明板部となっていることにある。
【０００９】
上記構成の請求項４の発明においては、箱眼鏡の長手方向を鉛直方向に向けた状態にして、箱眼鏡を手で持ってミラー設置側から水中に挿入することにより、透明板部を通した水中側の延長部分の光景を、ミラーに反射させて水上の覗き口から容易に覗くことができ、水中の水平方向の遠い範囲を見ることができる。なお、この場合は、ミラーを通しての映像が逆向きになる点には慣れる必要がある。
【００１０】
【発明の実施の形態】
以下、本発明の一実施の形態について図面を用いて説明する。図１及び図２は、第１実施形態である箱眼鏡を正面図及び平面図により示したものであり、図３は箱眼鏡の使用状態を説明図により示したものである。
【００１１】
箱眼鏡１０は、プラスチック製あるいは金属製の四角形筒状体すなわち略直方体状であって、長手方向両端面が長手方向中間を中心として対称形状で互いに対向して傾斜した傾斜面となって本体１１を有している。本体１１は、互いに対向する長尺な等脚台形上の一対の側板１２，１３と、側板１２，１３の平行な上辺間に取り付けられた長方形の平板１４と、下辺間に取り付けられた長方形で平板１４より長さの長い平板１５とにより一体で形成されている。側板１２，１３の底辺側の角度は略４５°になっている。本体１１の内面は光を吸収するために黒色等の暗色になっている。
【００１２】
本体１１は両端が開放された開口になっており、一端側開口１１ａにはアクリル等の透明プラスチック製の透明板１６が側板１２，１３，平板１４，１５の一端縁に液密状態に取り付けられて開口を封止しており、他端側傾斜面が開放された覗き口１８となっている。なお、透明板１６の材質としては、硬質ガラス等を用いることも可能である。
【００１３】
上記実施形態においては、箱眼鏡１０を手で持って透明板１６側から水中に挿入して、透明板１６を水面Ｗに略垂直になるように保持し、他端側の覗き口１８を水面Ｗに略平行になるように保持することにより、垂直にされた透明板１６を通して水中の横方向に５メートル以上離れた遠くの場所を容易に覗くことができる。これにより、本実施形態によれば、従来の箱眼鏡に比べて水中の横方向のはるかに広い範囲を覗くことができ、水中の広い範囲の魚の動向を調べことができるので、魚釣り例えば鮎釣りのための有効な情報を得ることができる。
【００１４】
また、この場合、覗き口１８が水面Ｗに略平行になっており、水中からの突出部分がほとんどなく視野の妨げにならないため、水面上から箱眼鏡１０の中を容易に覗くことができる。また、本体１１の長手方向両端が傾斜しており、無駄な部分がないので、軽量化されて持ち運びにも便利になっている。また、本体１１が四角形筒状体で両端の傾斜面が互いに対向する一対の平板１４，１５間で傾斜していることにより、取り扱いが容易であると共に、視界が広げられ、水中の広い範囲の魚の動向を調べるのに便利である。なお、箱眼鏡１０は、本体１１の形状が四角形の筒状であることが望ましいが、これに代えて、円筒形，その他の多角形筒形等とすることも可能である。
【００１５】
つぎに、第２実施形態について説明する。
本実施形態では、図４から図６に示すように、箱眼鏡２０の本体２１は、上記本体１１と同様に、互いに対向する長尺な等脚台形状の一対の側板２２，２３と、側板２２，２３の平行な上辺間に取り付けられた長方形の平板２４と、下辺間に取り付けられた長方形で平板２４より長さの長い平板２５とにより一体で形成されており、一端側開口２１ａにはアクリル等の透明プラスチック製の透明板２６が側板２２，２３及び平板２４，２５に液密状態に取り付けられて開口を封止しており、他端側傾斜面が開放された覗き口２８となっている。
【００１６】
そして、本体２１内には、平板２５の透明板２６との付根位置には、長方形のミラー３１が、その一端縁の支持部３１ａにて側板２２，２３に支持されると共に、平板２５に重ね合わされている。ミラー３１は、支持部３１ａを中心として図４の矢印方向に回動可能にされている。ミラー３１の大きさは、透明板２６とほぼ同じである。また、ミラー３１は、平板２５上で係止具２５ａにより解除可能に係止されている。さらに、ミラー３１の重ね合わされた平板２５の一端側部分は、透明板部３２にされている。透明板部３２も、透明板２６と同様にアクリル等の透明プラスチック製である。
【００１７】
上記構成の第２実施形態においては、図７に示すように、箱眼鏡２０の長手方向を鉛直方向に向けて保持すると共に係止具２５ａによる係止を解除することにより、平板２５に重ね合わされていたミラー３１が回動して一端側傾斜面の透明板２６に重ね合わされ、平板２５側の透明板部３２が露出する。この状態で箱眼鏡２０を手で持って一端側から水中に挿入することにより、透明板部３２を通した水中側の水平方向延長部分の光景をミラー３１に反射させて、水上の覗き口２８から容易に覗くことができる。その結果、第２実施形態においても、上記第１実施形態と同様の効果が得られる。また、箱眼鏡２０の水中への挿入方向を変えて、ミラー３１の位置を変えることにより、上記箱眼鏡１０の使用態様と異なった使用態様に切り替えて使用することができるので便利である。なお、本実施形態では、ミラー３１を通しての映像が逆向きになる点には慣れる必要がある。
【００１８】
つぎに、第３実施形態について説明する。
本実施形態では、図８から図１０に示すように、箱眼鏡４０の本体４１は、上記本体２１と同様に、互いに対向する長尺な一方のみが傾斜した台形状の一対の側板４２，４３と、側板４２，４３の平行な上辺間に取り付けられた長方形の平板４４と、下辺間に取り付けられた長方形で平板４４より長さの長い平板４５とにより一体で形成されている。本体４１の傾斜面となった一端側は、他の部分と同一材質の傾斜板４６が取り付けられて開口が封止されており、他端側が開放された覗き口４８となっている。そして、傾斜板４６の内側面には、長方形のミラー５１が貼り付けられている。また、平板４５のミラー３１と対向する一端側が、透明板部５２にされている。
【００１９】
上記構成の第３実施形態においては、第２実施形態の図７に示したと同様に、箱眼鏡４０の長手方向を鉛直方向に向けた状態にして、箱眼鏡４０を手で持って傾斜板４６側から水中に挿入することにより、透明板部５２を通した水中側の延長部分の光景を、ミラー５１に反射して水上の覗き口４８から容易に覗くことができ、水中の水平方向の遠い範囲を見ることができる。
なお、上記各実施形態に示したものは一例であり、本発明の趣旨を逸脱しない範囲で種々変更して実施することが可能である。
【００２０】
【発明の効果】
上記請求項１の発明によれば、箱眼鏡の長手方向一端側を水中に漬けて、透明板を水面に略垂直になるように保持し、他端側の覗き口を水面に略平行になるように支持することにより、垂直にされた透明板を通して水中の横方向の遠くの場所を容易に覗くことができる。その結果、請求項１の発明においては、水中の広い範囲を覗くことができ、水中の広い範囲の魚の動向を調べことができるので、魚釣りのための有効な情報を得ることができるる。なお、箱眼鏡を、直方体状で両傾斜面を互いに対向する一対の板材間で傾斜させることにより、視野が広げられるので、水中の広い範囲の魚等の動向を調べるのにさらに便利である（請求項２の発明の効果）。
【００２１】
また、請求項３の発明によれば、透明板側傾斜面の鋭角側端縁にミラーが端縁を中心として回動可能に支持されており、ミラーが重なり合う板材部分を透明板部としたことにより、箱眼鏡を垂直状態で保持して一端側から水中に挿入することにより、透明板部を通した水中側の延長部分の光景をミラーに反射して、水上の覗き口から容易に覗くことができる。その結果、請求項３の発明においては、箱眼鏡の水中への挿入方向を変えて、ミラーの位置を変えることにより、上記請求項１の箱眼鏡の使用態様と異なった使用態様に切り替えて使用することができるので便利である。また、筒状体の長手方向一端側の傾斜面をなす板材の内側面にミラーを取り付け、ミラーと対向する板材の一端側部分を透明板部とし、筒状体の長手方向を鉛直方向に向けた状態にしてミラー設置側から水中に挿入することにより、透明板部を通した水中側の延長部分の光景を、ミラーで反射させて水上の覗き口から容易に覗くことができ、水中の水平方向の遠い範囲を見ることができる（請求項４の発明の効果）。
【図面の簡単な説明】
【図１】本発明の第１実施形態である箱眼鏡を示す正面図である。
【図２】同箱眼鏡を示す平面図である。
【図３】同箱眼鏡の使用状態を示す説明図である。
【図４】第２実施形態である箱眼鏡を示す一部破断正面図である。
【図５】同箱眼鏡を示す平面図である。
【図６】同箱眼鏡を示す底面図である。
【図７】同箱眼鏡の使用状態を示す説明図である。
【図８】第３実施形態である箱眼鏡を示す一部破断正面図である。
【図９】同箱眼鏡を示す平面図である。
【図１０】同箱眼鏡を示す底面図である。
【符号の説明】
１０…箱眼鏡、１１…本体、１２，１３…側板，１４，１５…平板、１６…透明板、１８…覗き口、２０…箱眼鏡、２１…本体、２２，２３…側板，２４，２５…平板、２６…透明板、２８…覗き口、３１…ミラー、３２…透明板部、４０…箱眼鏡、４１…本体、４２，４３…側板，４４，４５…平板、４６…傾斜板、４８…覗き口、５１…ミラー、５２…透明板部。
【図１】
2005043495.tif 000003
【図２】
2005043495.tif 000004
【図３】
2005043495.tif 000005
【図４】
2005043495.tif 000006
【図５】
2005043495.tif 000007
【図６】
2005043495.tif 000008
【図７】
2005043495.tif 000009
【図８】
2005043495.tif 000010
【図９】
2005043495.tif 000011
【図１０】
2005043495.tif 000012